(57)【要約】【課題】複数の制限回路のうち、任意の一の制限回路を通流する電流が所定の上限より大きくなることを許容すると共に、他の制限回路を所定の上限まで電流が通流するのを担保することが可能な電流制限装置、電気機器、表示装置及びテレビジョン受信機を提供する。【解決手段】通流する電流の大きさが設定端子及び接地電位間の抵抗によって設定される制限回路３２が、電源部２６から外部機器３０に通流する電流の上限を０．５Ａに制限した場合、抵抗器Ｒ３２を介して出力される信号をラッチ回路３３ａがラッチし、オープンコレクタのインバータ３４ａ，３５ａの出力端子がＬレベルとなる。このため、設定端子に抵抗器Ｒ３４ａが追加接続された制限回路３２を通流する電流に対する制限が１Ａに緩和されると共に、ラッチ回路４３ａおけるラッチが禁止されて制限回路４２を通流する電流に対する制限が緩和されなくなる。【選択図】図２
2013222218.tif 000002
【特許請求の範囲】
【請求項１】
通流する電流を制限する複数の制限回路を備える電流制限装置において、
前記複数の制限回路は、電流を制限したことを示す信号を各出力するようにしてあり、
各制限回路から出力された信号を夫々ラッチする複数のラッチ回路を備え、
一のラッチ回路のラッチ結果によって、前記一のラッチ回路に対応する制限回路における電流の制限を緩和し、且つ、他の制限回路における電流の制限を緩和しないようにしてあること
を特徴とする電流制限装置。
【請求項２】
前記一のラッチ回路のラッチ結果によって、他のラッチ回路におけるラッチを禁止するようにしてあること
を特徴とする請求項１に記載の電流制限装置。
【請求項３】
前記複数の制限回路から出力された信号を各遅延する遅延回路と、
各遅延回路で遅延された信号を夫々ラッチする複数の第２のラッチ回路とを備え、
一の第２のラッチ回路のラッチ結果によって、前記一の第２のラッチ回路に対応する制限回路における電流の制限を更に緩和し、且つ、他の制限回路における電流の制限を緩和しないようにしてあること
を特徴とする請求項１又は２に記載の電流制限装置。
【請求項４】
一の制限回路に対応するラッチ回路のラッチ結果によって、他の制限回路に対応するラッチ回路及び第２のラッチ回路におけるラッチを禁止するようにしてあること
を特徴とする請求項３に記載の電流制限装置。
【請求項５】
前記複数の制限回路は、制限する電流を各緩和するための抵抗回路が接続される接続端子を有し、
一の制限回路に対応するラッチ回路又は第２のラッチ回路のラッチ結果によって、前記一の制限回路が有する接続端子及び所定電位間に前記抵抗回路を各別に接続するようにしてあること
を特徴とする請求項１から４の何れか１項に記載の電流制限装置。
【請求項６】
請求項１から５の何れか１項に記載の電流制限装置と、
電源装置とを備え、
前記電流制限装置が備える複数の制限回路が、前記電源装置から複数の外部機器に電流を各通流させるようにしてあること
を特徴とする電気機器。
【請求項７】
請求項５に記載の電流制限装置と電源装置とを備え、該電源装置から前記電流制限装置が有する複数の制限回路を介して複数の外部機器に電流を各通流させる電気機器であって、
前記電源装置の電源容量が低下した場合、前記複数の制限回路が有する接続端子及び所定電位間への前記抵抗回路の接続を各禁止する手段を備えることを特徴とする電気機器。
【請求項８】
前記複数の外部機器の中から１又は複数の外部機器を選択する手段と、
該手段によって選択されていない外部機器に電流を通流させる制限回路が有する接続端子及び所定電位間への前記抵抗回路の接続を禁止する手段と
を備えることを特徴とする請求項７に記載の電気機器。
【請求項９】
前記複数の外部機器と各通信する通信手段と、
該通信手段が各外部機器と通信した結果に基づいて、夫々の外部機器に電流を通流させる制限回路が有する接続端子及び所定電位間への前記抵抗回路の接続を抑止する手段を備えることを特徴とする請求項７又は８に記載の電気機器。
【請求項１０】
前記通信手段が各外部機器と通信した結果に基づいて一の外部機器を特定する特定手段と、
該特定手段によって特定されていない外部機器に電流を通流させる制限回路が有する接続端子及び所定電位間への前記抵抗回路の接続を禁止する手段と
を備えることを特徴とする請求項９に記載の電気機器。
【請求項１１】
前記通信手段が各外部機器と通信した結果に基づいて、夫々の外部機器の優先度を判定する判定手段を備え、
前記特定手段は、前記判定手段が最も優先度が高いと判定した外部機器を、前記一の外部機器として特定するようにしてあること
を特徴とする請求項１０に記載の電気機器。
【請求項１２】
前記複数の外部機器が夫々接続される接続ポートを備え、
前記接続ポートは、ＵＳＢ、ＩＥＥＥ１３９４、ＭＨＬ及びＨＤＭＩのうち、少なくとも１つと互換可能であること
を特徴とする請求項６から１１の何れか１項に記載の電気機器。
【請求項１３】
請求項６から１２の何れか１項に記載の電気機器と、
映像を表示する表示部と
を備えることを特徴とする表示装置。
【請求項１４】
請求項１３に記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、通流する電流の大きさを制限する複数の制限回路を備える電流制限装置、該電流制限装置を備える電気機器、該電気機器を備える表示装置、及び該表示装置を備えるテレビジョン受信機に関する。
【背景技術】
【０００２】
近年、ＡＶ（Audio Visual ）装置、記録装置等の外部機器と接続するためのインタフェースとして、ＨＤＭＩ（High-Definition Multimedia Interface ）、ＭＨＬ(Mobile High-Definition Link )、ＵＳＢ（Universal Serial Bus ）、ＩＥＥＥ１３９４等の接続ポートを備える電気機器が普及している。一般的にはこれらの接続ポートから外部機器に供給可能な電流（いわゆるバスパワー）の上限が、接続ポートの種類毎に規定されており、一の接続ポートから実際に供給される電流が規定の上限より小さい場合であっても、余剰電流を同一種類の他の接続ポートに振り向けることは想定されていない。
【０００３】
一方、電気機器によっては、同一種類の接続ポートのうちの一部又は全部について、供給可能な電流の上限が規定より大きく（又は小さく）設定されることもある。この場合、使用者が接続ポートを適当に選択することにより、規定の上限より大きい電流を消費する外部機器が接続可能となる。但し、使用者は、外部機器を接続する都度、その外部機器が消費する電流の上限と、接続ポートが供給可能な電流の上限とを意識する必要がある。
【０００４】
これに対し、特許文献１では、複数のインタフェース（接続ポート）から外部機器に各供給される電流の総和が所定値を超えない限り、一のインタフェースから外部機器に供給される電流が規定の上限を超えるか否かに関わらず、通常の電流供給動作を維持する電子機器が開示されている。この電子機器では、例えば外部機器が接続されるインタフェースの数が少ない場合に、任意のインタフェースに接続された外部機器に対して、規定の上限より大きい電流を供給することができる。
【先行技術文献】
【特許文献】
【０００５】
【特許文献１】特開２００３−２１６２８７号公報
【発明の概要】
【発明が解決しようとする課題】
【０００６】
しかしながら、特許文献１に開示された技術では、インタフェースに接続される外部機器が追加された結果、各外部機器に供給される電流の総和が所定値を超えた場合に、何れかの外部機器に供給されている電流が低減されるのではなく、全ての外部機器に対する電流の供給が停止されるという問題があった。
【０００７】
本発明は斯かる事情に鑑みてなされたものであり、その目的とするところは、複数の制限回路のうち、任意の一の制限回路を通流する電流が所定の上限より大きくなることを許容すると共に、他の制限回路を所定の上限まで電流が通流するのを担保することが可能な電流制限装置、電気機器、表示装置及びテレビジョン受信機を提供することにある。
【課題を解決するための手段】
【０００８】
本発明に係る電流制限装置は、通流する電流を制限する複数の制限回路を備える電流制限装置において、前記複数の制限回路は、電流を制限したことを示す信号を各出力するようにしてあり、各制限回路から出力された信号を夫々ラッチする複数のラッチ回路を備え、一のラッチ回路のラッチ結果によって、前記一のラッチ回路に対応する制限回路における電流の制限を緩和し、且つ、他の制限回路における電流の制限を緩和しないようにしてあることを特徴とする。
【０００９】
本発明にあっては、複数の制限回路のうち、一の制限回路が電流を制限したときに出力する信号を、前記一の制限回路に対応するラッチ回路がラッチしてラッチ状態となった場合、前記一の制限回路を通流する電流に対する制限を緩和すると共に、他の制限回路を通流する電流に対する制限を緩和しないようにする。
これにより、前記一の制限回路に所定電流より大きい電流が通流するようになり、他の制限回路は所定電流より大きい電流が通流しない状態に保持される。
【００１０】
本発明に係る電流制限装置は、前記一のラッチ回路のラッチ結果によって、他のラッチ回路におけるラッチを禁止するようにしてあることを特徴とする。
【００１１】
本発明にあっては、一の制限回路に対応するラッチ回路が信号をラッチしてラッチ状態となった場合、他の制限回路に対応するラッチ回路における信号のラッチを禁止する。
これにより、一の制限回路に対応するラッチ回路がラッチ状態にあるうちは、他の制限回路に対応するラッチ回路がラッチ状態となることがないため、他の制限回路を通流する電流に対する制限が、確実に緩和されなくなる。
【００１２】
本発明に係る電流制限装置は、前記複数の制限回路から出力された信号を各遅延する遅延回路と、
各遅延回路で遅延された信号を夫々ラッチする複数の第２のラッチ回路とを備え、一の第２のラッチ回路のラッチ結果によって、前記一の第２のラッチ回路に対応する制限回路における電流の制限を更に緩和し、且つ、他の制限回路における電流の制限を緩和しないようにしてあることを特徴とする。
【００１３】
本発明にあっては、複数の制限回路のうちの一の制限回路が電流を制限したときに出力する信号を遅延回路で遅延した信号を第２のラッチ回路がラッチするまで、前記一の制限回路が信号を出力し続けた場合、第２のラッチ回路がラッチ状態となって前記一の制限回路を通流する電流に対する制限を更に緩和する一方で、他の制限回路を通流する電流に対する制限を緩和しないようにする。
これにより、ラッチ回路がラッチしたことによって所定電流より大きい第２の電流が通流可能となった時から遅延回路の遅延時間が経過するまで電流を制限し続ける前記一の制限回路について、第２の電流より更に大きい第３の電流が通流可能となるのに対し、他の制限回路は所定電流より大きい電流が通流しない状態に保持される。
【００１４】
本発明に係る電流制限装置は、一の制限回路に対応するラッチ回路のラッチ結果によって、他の制限回路に対応するラッチ回路及び第２のラッチ回路におけるラッチを禁止するようにしてあることを特徴とする。
【００１５】
本発明にあっては、一の制限回路に対応するラッチ回路がラッチしてラッチ状態となった場合、他の制限回路に対応するラッチ回路及び第２のラッチ回路における信号のラッチを禁止する。
これにより、一の制限回路に対応するラッチ回路がラッチ状態にあるうちは、他の制限回路に対応するラッチ回路及び第２のラッチ回路がラッチ状態となることがないため、他の制限回路を通流する電流に対する制限が、確実に緩和されなくなる。
【００１６】
本発明に係る電流制限装置は、前記複数の制限回路は、制限する電流を各緩和するための抵抗回路が接続される接続端子を有し、一の制限回路に対応するラッチ回路又は第２のラッチ回路のラッチ結果によって、前記一の制限回路が有する接続端子及び所定電位間に前記抵抗回路を各別に接続するようにしてあることを特徴とする。
【００１７】
本発明にあっては、一の制限回路に対応するラッチ回路（又は第２のラッチ回路）がラッチしてラッチ状態となった場合、前記一の制限回路について、通流する電流に対する制限を緩和するための抵抗回路を接続端子及び所定電位の間に接続する。これにより、一のラッチ回路（又は第２のラッチ回路）のラッチ状態に応じて、前記一のラッチ回路（又は第２のラッチ回路）に対応する制限回路が制限する電流が１段階（又は２段階）緩和される。
【００１８】
本発明に係る電気機器は、上述の電流制限装置と、電源装置とを備え、前記電流制限装置が備える複数の制限回路が、前記電源装置から複数の外部機器に電流を各通流させるようにしてあることを特徴とする。
【００１９】
本発明にあっては、電源装置から複数の外部機器に供給される電流が、電流制限装置の複数の制限回路を各通流する。
これにより、複数の制限回路のうち、任意の一の制限回路を通流する電流が所定の上限より大きくなることを許容すると共に、他の制限回路を所定の上限まで電流が通流するのを担保することが可能な電流制限装置が、電気機器に好適に適用される。
【００２０】
本発明に係る電気機器は、上述の電流制限装置と電源装置とを備え、該電源装置から前記電流制限装置が有する複数の制限回路を介して複数の外部機器に電流を各通流させる電気機器であって、前記電源装置の電源容量が低下した場合、前記複数の制限回路が有する接続端子及び所定電位間への前記抵抗回路の接続を各禁止する手段を備えることを特徴とする。
【００２１】
本発明にあっては、例えば電源装置が低出力のスタンバイ状態となるか、又は電源装置がバックアップ電源に切り換えられることによって電源装置の電源容量が低下した場合、複数の制限回路夫々が有する接続端子及び所定電位間に抵抗回路を接続しないようにする。
これにより、電源装置の電源容量が低下したときに複数の制限回路夫々を介して外部機器に通流する電流が緩和されないようになるため、全ての制限回路を通流する電流の上限の総和が最小限に抑えられる。
【００２２】
本発明に係る電気機器は、前記複数の外部機器の中から１又は複数の外部機器を選択する手段と、該手段によって選択されていない外部機器に電流を通流させる制限回路が有する接続端子及び所定電位間への前記抵抗回路の接続を禁止する手段とを備えることを特徴とする。
【００２３】
本発明にあっては、選択した１又は複数の外部機器を除く外部機器に対して、又は選択から除外した外部機器に対して電流を通流させる制限回路の接続端子及び所定電位間に、抵抗回路を接続しないようにする。
これにより、制限回路を介して通流する電流が緩和されていた外部機器が非選択となった場合に、電流が緩和されないようになるため、選択中の他の外部機器に制限回路を介して通流する電流が緩和される余地が増す。
【００２４】
本発明に係る電気機器は、前記複数の外部機器と各通信する通信手段と、該通信手段が各外部機器と通信した結果に基づいて、夫々の外部機器に電流を通流させる制限回路が有する接続端子及び所定電位間への前記抵抗回路の接続を抑止する手段を備えることを特徴とする。
【００２５】
本発明にあっては、各外部機器と通信した結果に基づいて、夫々の外部機器に電流を通流させる制限回路の接続端子及び所定電位間に１つ又は２つの抵抗回路が接続されるのを抑止する。
これにより、例えば各外部機器が要求する電流値を取得し、取得した電流値に応じて、夫々の外部機器に電流を通流させる制限回路の接続端子及び所定電位間に追加接続され得る抵抗回路の数（０、１、２の何れか）を調整して、夫々の制限回路を通流する電流が緩和され得る限界を予め設定することができる。
【００２６】
本発明に係る電気機器は、前記通信手段が各外部機器と通信した結果に基づいて一の外部機器を特定する特定手段と、該特定手段によって特定されていない外部機器に電流を通流させる制限回路が有する接続端子及び所定電位間への前記抵抗回路の接続を禁止する手段とを備えることを特徴とする。
【００２７】
本発明にあっては、各外部機器と通信した結果に基づいて特定した一の外部機器を除く他の外部機器に対して電流を通流させる制限回路の接続端子及び所定電位間に、抵抗回路を接続しないようにする。
これにより、例えば最も大きい電流を要求する外部機器を特定し、特定した外部機器に電流を通流させる制限回路について、通流する電流が緩和される余地を残しておき、他の制限回路を通流する電流が緩和されないようにする。
【００２８】
本発明に係る電気機器は、前記通信手段が各外部機器と通信した結果に基づいて、夫々の外部機器の優先度を判定する判定手段を備え、前記特定手段は、前記判定手段が最も優先度が高いと判定した外部機器を、前記一の外部機器として特定するようにしてあることを特徴とする。
【００２９】
本発明にあっては、各外部機器と通信した結果に基づいて最高優先度であると判定した外部機器に電流を通流させる制限回路を除き、他の制限回路夫々の接続端子及び所定電位間に抵抗回路を接続しないようにする。
これにより、最も優先度が高い外部機器に電流を通流させる制限回路について、通流する電流に対する制限が緩和される余地を残しておき、他の制限回路を通流する電流が緩和されないようにする。
【００３０】
本発明に係る電気機器は、前記複数の外部機器が夫々接続される接続ポートを備え、前記接続ポートは、ＵＳＢ、ＩＥＥＥ１３９４、ＭＨＬ及びＨＤＭＩのうち、少なくとも１つと互換可能であることを特徴とする。
【００３１】
本発明にあっては、複数の外部機器が、ＵＳＢ、ＩＥＥＥ１３９４、ＭＨＬ及びＨＤＭＩのうちの少なくとも１つと互換可能な接続ポートに接続される。
これにより、上述した複数種類の汎用の接続ポートの一部又は全部に接続された複数の外部機器のうち、任意の一の外部機器に通流する電流に対する制限が適宜緩和されると共に、他の外部機器に通流する電流に対する制限が緩和されないようになる。
【００３２】
本発明に係る表示装置は、上述の電気機器と、映像を表示する表示部とを備えることを特徴とする。
【００３３】
本発明にあっては、外部機器に対して、電気機器の電流制限装置を介して電源装置から電流を通流させ、表示部に映像を表示する。
これにより、外部機器に通流させる電流の上限を適宜緩和する電気機器が、表示装置に好適に適用される。
【００３４】
本発明に係るテレビジョン受信機は、上述の表示装置と、テレビジョン放送を受信する受信部とを備え、前記受信部にて受信したテレビジョン放送に基づいて、前記表示装置に映像を表示するようにしてあることを特徴とする。
【００３５】
本発明にあっては、受信部が受信したテレビジョン放送に基づいて、表示装置が映像を表示する。
これにより、外部機器に通流させる電流の上限を適宜緩和する電気機器を備える表示装置が、テレビジョン受信機に適用される。
【発明の効果】
【００３６】
本発明によれば、一の制限回路が電流を制限したときに、前記一の制限回路に所定電流より大きい電流が通流するようになり、他の制限回路は所定電流より大きい電流が通流しない状態に保持される。
従って、複数の制限回路のうち、任意の一の制限回路を通流する電流が所定の上限より大きくなることを許容すると共に、他の制限回路を所定の上限まで電流が通流するのを担保することが可能となる。
【図面の簡単な説明】
【００３７】
【図１】本発明の実施の形態１に係るテレビジョン受信機の構成例を示すブロック図である。
【図２】本発明の実施の形態１に係るテレビジョン受信機が備える外部接続部の構成例を示すブロック図である。
【図３】外部接続部における主要部の動作タイミングを示すタイミングチャートである。
【図４】スタンバイ状態にある時にラッチ回路をリセットするＣＰＵの処理手順を示すフローチャートである。
【図５】非選択の外部機器についてラッチ回路をリセットするＣＰＵの処理手順を示すフローチャートである。
【図６】本発明の実施の形態１の変形例１に係るテレビジョン受信機が備える外部接続部の構成例を示すブロック図である。
【図７】本発明の実施の形態１の変形例２に係るテレビジョン受信機が備える外部接続部の構成例を示すブロック図である。
【図８】本発明の実施の形態２に係るテレビジョン受信機が備える外部接続部の構成例を示すブロック図である。
【図９】オーバーカレント信号を遅延する遅延回路の構成例を示す回路図である。
【図１０】外部接続部における主要部の動作タイミングを示すタイミングチャートである。
【図１１】本発明の実施の形態３に係るテレビジョン受信機が備える外部接続部の構成例を示すブロック図である。
【図１２】制限回路を通流する電流が緩和され得る限界を設定するＣＰＵの処理手順を示すフローチャートである。
【図１３】本発明の実施の形態３の変形例１に係るテレビジョン受信機におけるＣＰＵの処理手順を示すフローチャートである。
【図１４】本発明の実施の形態３の変形例２に係るテレビジョン受信機におけるＣＰＵの処理手順を示すフローチャートである。
【発明を実施するための形態】
【００３８】
以下、本発明をその実施の形態を示す図面に基づいて詳述する。
（実施の形態１）
図１は、本発明の実施の形態１に係るテレビジョン受信機の構成例を示すブロック図である。図中１はテレビジョン受信機であり、テレビジョン受信機１は、地上波デジタルのテレビジョン放送をチューナ部１１にて受信し、受信したテレビジョン放送の番組に係る映像を表示部１５に表示すると共に、音声をスピーカ１８から出力する。テレビジョン受信機１には、リモートコントローラ（以下、リモコンという）９が付属しており、ユーザはリモコン９に設けられた操作部９１を操作することによってテレビジョン受信機１を操作することができる。
【００３９】
テレビジョン受信機１のチューナ部１１は、図示しないアンテナに接続されている。チューナ部１１は、選局部２１が選択した特定のテレビジョン放送を受信し、受信した信号を復調部１２に与える。復調部１２は、受信信号を復調してテレビジョン放送に係るデジタルデータ（トランスポートストリーム）を生成して、分離部１３に与える。
【００４０】
復調部１２が分離部１３へ与えるデジタルデータには、テレビジョン放送に係る番組の映像データ及び音声データ、並びに、番組情報等が含まれている。分離部１３は、与えられたデジタルデータを映像データ、音声データ及び番組情報等に分離する。分離部１３は、分離した映像データを映像処理部１４に与え、音声データを音声処理部１７に与え、番組情報を番組情報処理部１６に与える。更に分離部１３は、分離した映像データ、音声データ及び番組情報等と、分離する前のデジタルデータとを、場合に応じてデータ制御部２０に与える。
【００４１】
映像処理部１４は、分離部１３から与えられた映像データをデコードし、例えばフレーム画像に対してガンマ補正などの種々の画像処理を行った後、表示部１５の表示に適した映像信号に変換し、変換した映像信号を表示部１５に出力する。表示部１５は、例えば液晶パネルなどの表示デバイスを用いて構成される。表示部１５は、映像処理部１４から与えられた映像信号に基づいて映像を表示する。
【００４２】
分離部１３から番組情報処理部１６へ与えられる番組情報は、放送予定の番組の一覧（いわゆる番組表）又は各番組に関する情報（例えば番組が映画であれば出演者及び制作年等の情報）等である。番組情報処理部１６は、ユーザの操作に応じて表示部１５に番組情報を表示するため、必要な番組情報を抽出して映像処理部１４に与える。映像処理部１４は、番組情報処理部１６から与えられた番組情報を表示部１５に表示する。
【００４３】
音声処理部１７は、分離部１３から与えられた音声データをデコードし、ユーザの設定した音量となるように増幅した音声信号をスピーカ１８へ出力する。スピーカ１８は、音声処理部１７から与えられた音声信号に基づいて音声出力を行う。
【００４４】
またテレビジョン受信機１は、ＣＰＵ（Central Processing Unit ）１９、赤外線受光部２２、ＲＡＭ（Random Access Memory ）２３、ＲＯＭ（Read Only Memory ）２４及び外部接続部２５を備えており、これらの各部が、上述したデータ制御部２０及び選局部２１と共に、バス２９を介してデータの授受を行う。また図示は省略するが、上述の映像処理部１４、番組情報処理部１６及び音声処理部１７もバス２９に接続されており、バス２９を介したデータの授受を行うことができる。ＣＰＵ１９は、ＲＯＭ２４に予め記憶された制御プログラムを読み出して実行することにより、テレビジョン受信機１内の各部の動作を制御する。
【００４５】
データ制御部２０は、例えばリモコン９の操作部９１に設けられたタイムシフト機能の録画開始ボタンが操作された場合、又は予め設定された開始時刻に至った場合、分離部１３から与えられた映像データ及び音声データ等の番組データを、ＲＡＭ２３の空き領域に順次記憶する。なおデータ制御部２０がＲＡＭ２３に記憶する番組データは、映像データ及び音声データのみでなく、番組の情報又は字幕等のその他のデータを更に含んでもよい。
【００４６】
またデータ制御部２０は、例えばリモコン９の操作部９１に設けられた再生ボタンが操作された場合、ＲＡＭ２３に記憶した番組データを読み出して、映像データを映像処理部１４へ与え、音声データを音声処理部１７へ与える。これにより記憶された番組データの映像が表示部１５に表示され、音声がスピーカ１８から出力されるため、番組の放送時間とは異なる時間にユーザが番組を視聴することができる（いわゆるタイムシフト機能）。
【００４７】
一方、予め指定された外部機器３０，４０に録画を開始するボタンが操作された場合、データ制御部２０が、分離部１３から与えられたデジタルデータを、バス２９及び外部接続部２５を介して外部機器３０，４０に与える。また、外部機器３０，４０からの再生を開始するボタンが操作された場合、外部機器３０，４０で再生されたデジタルデータが、外部接続部２５、バス２９及びデータ制御部２０を介して分離部１３に与えられて、映像データ、音声データ及び番組情報等に分離される。
【００４８】
ここで、上述したＲＡＭ２３に記憶する番組データと同様のデータが外部機器３０，４０に記録されている場合、外部機器３０，４０で再生された映像データ、音声データ及び番組情報の夫々が、外部接続部２５、バス２９及びデータ制御部２０を介して映像処理部１４、音声処理部１７及び番組情報処理部１６に与えられて処理される。このようにして、外部機器３０，４０で生成された映像データに基づく映像が表示部１５に表示され、音声がスピーカ１８から出力される。
【００４９】
外部接続部２５は、後述する外部端子３１，４１（図２参照）の夫々を介して外部機器３０，４０と接続するためのものである。外部接続部２５には、図示しない電源コードを介して商用交流電源から供給された交流電力を直流電力に変換する電源部（請求項に記載の電源装置）２６が接続されている。電源部２６は、テレビジョン受信機１内のその他の各部にも接続されており、これらに直流電力を供給する。電源部２６から外部接続部２５に直流電力が供給されることにより、電源部２６から外部接続部２５を介して外部機器３０，４０に電流が通流し、外部機器３０，４０に直流電力が給電されるようになっている。
【００５０】
選局部２１は、チューナ部１１にて受信するテレビジョン放送の選択（選局）を制御する。ユーザはリモコン９などを用いて選局操作（チャンネル変更操作）を行うことができ、ユーザによりなされた選局操作がＣＰＵ１９を介して選局部２１へ通知され、操作内容に応じて選局部２１がチューナ部１１の制御を行う。
【００５１】
赤外線受光部２２は、リモコン９との間で赤外線通信を行うためのものである。リモコン９には赤外線発光部（図示は省略する）が設けられており、操作部９１に対してなされた操作に応じた赤外線信号が赤外線発光部から送信され、テレビジョン受信機１の赤外線受光部２２にて受信される。赤外線受光部２２は、受信した赤外線信号に応じてリモコン９に対してなされた操作内容をＣＰＵ１９へ通知する。
【００５２】
リモコン９の操作部９１には、選局操作のための選局ボタン、音量調整のための音量ボタン、及び、画質などの設定を行うための設定ボタン等の種々の操作ボタンが設けられている。また特に本実施の形態１にあっては、操作部９１に、テレビジョン受信機１の電源オン／オフの操作を行うための電源ボタンと、上述のタイムシフト機能に係る操作を行うための一又は複数の操作ボタンとが設けられている。
【００５３】
ＲＡＭ２３は、ＳＲＡＭ又はＤＲＡＭ等のメモリ素子を複数有するメモリモジュールの集合体からなる。ＲＡＭ２３は、データ制御部２０から与えられた映像データ、音声データ及び番組情報等のデータを記憶する。またＲＡＭ２３には、ＣＰＵ１９にて実行されるプログラム及び実行時に必要なデータ等がＲＯＭ２４から読み出されて記憶されるほか、ＣＰＵ１９の処理過程にて発生した演算結果などの種々の一時的なデータが記憶される。このようにＲＡＭ２３は、テレビジョン受信機１内の種々のデータを記憶するために用いられる。
【００５４】
ＲＯＭ２４は、マスクＲＯＭ、ＥＥＰＲＯＭ（Electrically Erasable Programmable ROM；登録商標）又はフラッシュメモリ等の不揮発性メモリ素子を用いて構成されている。ＲＯＭ２４は、ＣＰＵ１９にて実行される各種のプログラム及び実行時に必要なデータ等が記憶されている。またＲＯＭ２４がデータ書き換え可能なＥＥＰＲＯＭ又はフラッシュメモリ等で構成されている場合、テレビジョン受信機１の各種の設定情報などをＲＯＭ２４に記憶してもよい。
【００５５】
以下では、外部接続部２５の詳細について説明する。
図２は、本発明の実施の形態１に係るテレビジョン受信機１が備える外部接続部２５の構成例を示すブロック図である。外部接続部２５は、図示しないケースに配設されている外部端子３１，４１の夫々に接続された外部機器３０，４０に対して、電源部２６から供給された電流（所謂バスパワーとしての電源電流）が通流する制限回路３２，４２と、該制限回路３２，４２夫々が出力する信号によってセットされるラッチ回路３３ａ，４３ａとを備える。外部端子３１，４１は、例えばミニＵＳＢとマイクロＵＳＢとを含むＵＳＢ、ＩＥＥＥ１３９４（所謂i.LINK；登録商標）、ＭＨＬ又はＨＤＭＩと互換可能な接続ポートを提供するものである。接続ポートの種類は、これらに限定されない。
【００５６】
また外部接続部２５は、信号線を介した外部機器３０，４０夫々との接続を制御するＩＣからなるコントローラ３９，４９と、ラッチ回路３３ａ，４３ａのリセット端子（Ｒ端子）にリセット信号を与えるＩ／Ｏポート２７とを備えており、これらの各部がバス２９に接続されている。なお外部接続部２５のうち、コントローラ３９，４９を除いたものが、請求項に記載の電流制限装置に対応する。また、テレビジョン受信機１からチューナ部１１，復調部１２、選局部２１、赤外線受光部２２及びリモコン９を除いたものが請求項に記載の表示装置に対応する。そして、表示装置から分離部１３、映像処理部１４、表示部１５、番組情報処理部１６、音声処理部１７、スピーカ１８及びデータ制御部２０を除いたものが請求項に記載の電気機器に対応する。
【００５７】
コントローラ３９，４９は、外部端子３１，４１の夫々を介して外部機器３０，４０が接続／切断されたことを検出してＣＰＵ１９に割込をかける（割込線は図示せず）。ここでの接続ポートがＵＳＢの場合、ＣＰＵ１９は、接続が検出された外部機器３０，４０夫々のデバイス情報をコントローラ３９，４９から読み取ってデバイスアドレスを設定した後、外部機器３０，４０と通信して必要な情報を適宜取得する。ＣＰＵ１９によってコントローラ３９，４９の転送モードが適当に設定された場合、外部機器３０，４０の夫々とデータ制御部２０との間で、コントローラ３９，４９及びバス２９を介したデータの伝送が可能となる。
【００５８】
制限回路３２，４２の夫々は、例えばＭＡＸＩＭ社のＭＡＸ８９３Ｌのような電流制限機能を有するＩＣからなり、電源部２６に接続された電流入力端子から、外部端子３１，４１に接続されている電流出力端子に通流する電流の上限を設定するための設定端子（請求項に記載の接続端子）と、設定された上限で電流を制限したことを示すオーバーカレント信号を出力するオーバーカレント信号端子とを有する。制限回路３２，４２の夫々は、設定端子及び接地電位（請求項に記載の所定電位）の間の抵抗が小さいほど、外部機器３０，４０に通流する電流の上限が大きくなるように構成されている。
【００５９】
本実施の形態１では、制限回路３２，４２の設定端子の夫々と接地電位との間に抵抗器Ｒ３１，Ｒ４１が接続されており、制限回路３２，４２がデフォルトで制限する電流が０．５Ａに設定されている。また、制限回路３２，４２の夫々が出力するオーバーカレント信号は、抵抗器Ｒ３２，Ｒ４２を介してラッチ回路３３ａ，４３ａのセット端子（Ｓ端子）に与えられる。従って、オーバーカレント信号端子から出力されるオーバーカレント信号がＨ（ハイ）レベルの場合であっても、ラッチ回路３３ａ，４３ａ夫々のＳ端子を強制的に接地電位に接続することにより、ラッチ回路３３ａ，４３ａにおけるオーバーカレント信号のラッチが禁止されることとなる。
【００６０】
ラッチ回路３３ａ，４３ａのＱ端子の夫々には、所謂デジタルトランジスタ（抵抗器が内蔵されたトランジスタ）からなるオープンコレクタのインバータ３４ａ，４４ａの入力端子と、インバータ３５ａ，４５ａの入力端子とが接続されている。インバータ３４ａ，４４ａの出力端子の夫々は、抵抗器（請求項に記載の抵抗回路）Ｒ３４ａ，Ｒ４４ａを介して制限回路３２，４２の設定端子に接続されており、インバータ３５ａ，４５ａの出力端子の夫々は、ラッチ回路４３ａ，３３ａのＳ端子に接続されている。
【００６１】
このような構成により、ラッチ回路３３ａ，４３ａの夫々が、抵抗器Ｒ３２，Ｒ４２を介して与えられたオーバーカレント信号をラッチした場合、インバータ３４ａ，４４ａの出力端子及び抵抗器Ｒ３４ａ，Ｒ４４ａの接続点が接地電位に接続されて制限回路３２，４２を通流する電流に対する制限が緩和される。加えて、ラッチ回路４３ａ，３３ａ夫々のＳ端子が強制的に接地電位に接続されてラッチ回路４３ａ，３３ａにおけるオーバーカレント信号のラッチが禁止される。
なおラッチ回路３３ａ，４３ａがオーバーカレント信号をラッチしていない場合は、各Ｓ端子が強制的に接地電位に接続されることがない。
【００６２】
以下では、外部接続部２５が電流を制限する動作の具体例について説明する。
図３は、外部接続部２５における主要部の動作タイミングを示すタイミングチャートである。以下では、制限回路３２，４２の夫々が出力するオーバーカレント信号を、オーバーカレント信号Ａ，Ｂともいい、ラッチ回路３３ａ，４３ａの夫々を、ラッチ回路Ａ，Ｂともいう。図３に示す７つのタイミング図では、何れも同一の時間軸を横軸としてあり、図の上からオーバーカレント信号Ａ、ラッチ回路ＡのＳ端子、ラッチ回路ＡのＱ端子、ラッチ回路ＡのＲ端子、オーバーカレント信号Ｂ、ラッチ回路ＢのＳ端子、及びラッチ回路ＢのＱ端子について、オン／オフ状態又はＨ／Ｌレベルを縦軸に示してある。外部機器３０，４０は、時刻Ｔ１より前に既に接続されている。
【００６３】
時刻Ｔ１からＴ３までの間、オーバーカレント信号Ａがオンとなった場合、ラッチ回路ＢのＱ端子がＬ（ロウ）レベルであり、インバータ４５ａの出力端子はハイインピーダンスであるから、ラッチ回路ＡのＳ端子がＨレベルとなる。従って、時刻Ｔ１にラッチ回路ＡのＱ端子がＨレベルとなる。これにより、インバータ３４ａの出力端子がＬレベルとなり、制限回路３２の設定端子に一端が接続された抵抗器Ｒ３４ａの他端が接地電位に接続されるため、制限回路３２を通流する電流に対する制限が緩和される。例えば抵抗器Ｒ３１及びＲ３４ａの抵抗値が等しい場合、上記電流の上限が１Ａに緩和される。
【００６４】
更に、ラッチ回路ＡのＱ端子がＨレベルとなった時刻Ｔ１にインバータ３５ａの出力端子がＬレベルとなることにより、ラッチ回路ＢのＳ端子が強制的に接地電位に接続されるため、例えば時刻Ｔ１，Ｔ３の間の時刻Ｔ２から、時刻Ｔ３より後の時刻Ｔ４までの間、オーバーカレント信号Ｂがオンとなった場合であっても、ラッチ回路ＢのＳ端子はＬレベルに保持される。従って、ラッチ回路ＢのＱ端子は、Ｈレベルに変化することがない。
【００６５】
その後、時刻Ｔ５で外部端子３１から外部機器３０が取り外されて切断された場合、ＣＰＵ１９の制御により、ラッチ回路ＡのＲ端子にＨレベルのリセット信号（パルス信号）が与えられる。
なお外部機器３０，４０夫々の切断がコントローラ３９，４９からハードウェアの信号として通知される場合、又は何らかの回路によって外部機器３０，４０の切断が信号で通知される場合は、これらの信号をリセット信号に用いてもよい。
【００６６】
ラッチ回路Ａがリセット信号によってリセットされた場合、ラッチ回路ＡのＱ端子がＬレベルとなり、インバータ３４ａの出力端子がハイインピーダンスとなるため、抵抗器Ｒ３４ａの他端が接地電位に接続されなくなって、制限回路３２を通流する電流に対する制限が緩和されなくなる（即ち、電流の上限がデフォルトの０．５Ａとなる）。
【００６７】
更に、ラッチ回路ＡのＱ端子がＬレベルとなった時刻Ｔ５にインバータ３５ａの出力端子がハイインピーダンスとなることにより、ラッチ回路ＢのＳ端子には、制限回路４２のカレントリミット信号が抵抗器Ｒ４２を介してそのまま与えられるようになる。このようにして、制限回路３２及びラッチ回路３３ａの状態が、時刻Ｔ１以前の状態に復帰するため、時刻Ｔ５より後にオーバーカレント信号Ｂがオンとなった場合は、制限回路４２を通流する電流に対する制限が緩和されるようになる。
【００６８】
さて、以上の説明では、電源部２６の電源容量が一定であることを前提としているが、例えばＣＰＵ１９が管理する自装置（テレビジョン受信機１）の状態がスタンバイ状態（待機状態）となったときに、省電力化のために電源部２６の電源容量が低減される場合がある。このような場合には、制限回路３２，４２を通流する電流に対する制限が緩和されないようにする必要がある。この処理を、フローチャートを用いて説明する。
【００６９】
図４は、スタンバイ状態にある時にラッチ回路３３ａ，４３ａをリセットするＣＰＵ１９の処理手順を示すフローチャートである。図４の処理は、自装置の状態が変化したときに起動され、ＲＯＭ２４に予め格納された制御プログラムに従ってＣＰＵ１９により実行される。
図４の処理が起動される都度、ＣＰＵ１９は、電源部２６の電源容量の変化を伴う状態変化があったか否かを判定し（Ｓ１１）、電源容量の変化を伴わない場合（Ｓ１１：ＮＯ）、そのまま図４の処理を終了する。
【００７０】
状態変化が電源容量の変化を伴う場合（Ｓ１１：ＹＥＳ）、ＣＰＵ１９は、電源容量が以前の状態のときより低下するか否かを判定する（Ｓ１２）。例えばスタンバイ状態に移行して電源容量が低下する場合（Ｓ１２：ＹＥＳ）、ＣＰＵ１９は、Ｉ／Ｏポート２７の各出力端子をＨレベルに固定することにより、ラッチ回路３３ａ，４３ａをリセットし続けるようにする（Ｓ１３）。これにより、制限回路３２，４２を通流する電流に対する制限が緩和されなくなる。
【００７１】
これとは逆に、例えばスタンバイ状態から復帰して電源容量が低下しなくなった場合（Ｓ１２：ＮＯ）、ＣＰＵ１９は、Ｉ／Ｏポート２７の各出力端子をＬレベルに固定することにより、ラッチ回路３３ａ，４３ａのリセットを解除する（Ｓ１４）。これにより、制限回路３２，４２を通流する電流に対する制限が適宜緩和されるようになる。
【００７２】
なお本実施の形態１では、ＣＰＵ１９が管理する自装置の状態が変化したときに、電源部２６の電源容量が低下するか否かによって、全てのラッチ回路をリセットするかリセット解除するかを切り換えたが、これに限定されるものではない。
例えば、電源部２６の電源容量が低下するように切り換えられたときに、電源部２６から何らかの信号が出力される場合は、その信号を用いて全てのラッチ回路をリセットしてもよい。
【００７３】
ところで、外部機器３０，４０に通流する電流が、デフォルトで制限される電流の上限（０．５Ａ）を超える場合であっても、外部機器３０，４０が選択されなくなることによって、外部機器３０，４０に通流する電流がデフォルトの上限を超えなくなることがある。このような外部機器３０，４０夫々に対しては、非選択時に制限回路３２，４２を通流する電流に対する制限が緩和されないようにすることが有効である。
【００７４】
図５は、非選択の外部機器３０，４０についてラッチ回路３３ａ，４３ａをリセットするＣＰＵ１９の処理手順を示すフローチャートである。図５の処理は、外部機器３０，４０の選択を変更する都度起動され、ＲＯＭ２４に予め格納された制御プログラムに従ってＣＰＵ１９により実行される。外部機器３０，４０の選択は、一度に１又は複数の外部機器が選択及び選択解除できるものであってもよいし、１つずつ選択又は選択解除が行えるものであってもよい。
【００７５】
図５の処理が起動される都度、ＣＰＵ１９は、一の外部機器が選択中であるか否かを判定する（Ｓ２１）。前記一の外部機器が選択中である場合（Ｓ２１：ＹＥＳ）、ＣＰＵ１９は、前記一の外部機器に対して電流が通流する制限回路に対応するラッチ回路のＲ端子に向けて、Ｉ／Ｏポート２７の出力端子をＬレベルに固定することにより、上記ラッチ回路のリセットを解除する（Ｓ２２）。これにより、制限回路３２，４２を通流する電流に対する制限が適宜緩和されるようになる。
【００７６】
一方、前記一の外部機器が選択中ではない場合（Ｓ２１：ＮＯ）、ＣＰＵ１９は、前記一の外部機器に対して電流が通流する制限回路に対応するラッチ回路のＲ端子に向けて、Ｉ／Ｏポート２７の出力端子をＨレベルに固定することにより、上記ラッチ回路をリセットする（Ｓ２３）。これにより、制限回路３２，４２を通流する電流に対する制限が緩和されなくなる。
なおラッチ回路をリセットする場合、そのラッチ回路のＲ端子に正のリセットパルスを与えるようにしてもよい。
【００７７】
ステップＳ２２又はＳ２３の処理を終えた場合、ＣＰＵ１９は、接続されている全ての外部機器について、選択中であるか否かの判定を完了したか否かを判定し（Ｓ２４）、完了していない場合（Ｓ２４：ＮＯ）は処理をステップＳ２１に戻し、完了している場合（Ｓ２４：ＹＥＳ）は図５の処理を終了する。
【００７８】
以上のように本実施の形態１によれば、２つの制限回路のうち、例えば制限回路３２が電流を制限したときに出力するオーバーカレント信号を、制限回路３２に対応するラッチ回路Ａがラッチしてラッチ状態となった場合、制限回路３２を通流する電流に対する制限を、デフォルトの０．５Ａから１Ａに緩和すると共に、他方の制限回路４２を通流する電流に対する制限をデフォルトの０．５Ａから緩和しないようにする。
これにより、制限回路３２に１Ａまでの電流が通流するようになり、他方の制限回路４２は０．５Ａより大きい電流が通流しない状態に保持される。
従って、複数の制限回路のうち、任意の一の制限回路を通流する電流が所定の上限より大きくなることを許容すると共に、他の制限回路を所定の上限まで電流が通流するのを担保することが可能となる。
【００７９】
また、制限回路３２に対応するラッチ回路Ａがオーバーカレント信号をラッチしてラッチ状態となった場合、他方の制限回路４２に対応するラッチ回路Ｂにおけるオーバーカレント信号のラッチを禁止する。
従って、一の制限回路に対応するラッチ回路がラッチ状態にあるうちは、他の制限回路に対応するラッチ回路がラッチ状態となることがないため、他の制限回路を通流する電流に対する制限を、確実に緩和しないようにすることが可能となる。
【００８０】
更にまた、自装置の状態変化に伴って電源部２６の電源容量が低下した場合、制限回路３２，４２夫々が有する設定端子及び接地電位間に抵抗器Ｒ３４ａ，Ｒ４４ａを接続しないようにする。
従って、電源装置の電源容量が低下した場合、複数の制限回路夫々を介して外部機器に通流する電流が緩和されないようになるため、全ての制限回路を通流する電流の上限の総和を最小限に抑えることが可能となる。
【００８１】
更にまた、選択した外部機器を除く他の外部機器に対して、又は非選択にした外部機器に対して電流を通流させる制限回路の接続端子及び接地電位間に、抵抗器Ｒ３１，Ｒ４１以外の抵抗器を追加接続しないようにする。
従って、制限回路を介して通流する電流が緩和されていた外部機器が非選択となった場合に、電流が緩和されないようになるため、選択中の他の外部機器に制限回路を介して通流する電流が緩和される余地が増すようにすることが可能となる。
【００８２】
（変形例１）
図２に示す外部接続部２５の構成例では、制限回路３２，４２が出力するオーバーカレント信号と、インバータ４５ａ，３５ａが出力するＬレベルの信号とが衝突しないように抵抗器Ｒ３２，Ｒ４２を用いたが、これに限定されるものではない。
例えば、制限回路３２，４２が出力するオーバーカレント信号を禁止するために、ＡＮＤゲートを用いてもよい（後述する変形例２、実施の形態２，３についても同様）。
【００８３】
図６は、本発明の実施の形態１の変形例１に係るテレビジョン受信機１が備える外部接続部２５の構成例を示すブロック図である。制限回路３２，４２のオーバーカレント信号端子の夫々は、ＡＮＤゲート３６，４６の一の入力端子に接続されている。ＡＮＤゲート３６，４６の出力端子の夫々は、ラッチ回路３３ａ，４３ａのＳ端子に接続されている。ラッチ回路３３ａ，４３ａのＱ端子の夫々には、オープンコレクタのインバータ３４ａ，４４ａの入力端子と通常の（トーテムポール出力の）インバータ３５ｃ，４５ｃの入力端子とが接続されている。インバータ３５ｃ，４５ｃの出力端子の夫々は、ＡＮＤゲート４６，３６の他の入力端子に接続されている。
その他の構成は、実施の形態１の図２の場合と同様である。
【００８４】
上述した構成において、ラッチ回路３３ａ，４３ａがオーバーカレント信号をラッチしていない場合、夫々のＱ端子がＬレベルを保持しているから、ＡＮＤゲート４６，３６が開いている。その後、図３に示すように時刻Ｔ１からＴ３までの間、オーバーカレント信号Ａがオンとなった場合、ＡＮＤゲート３６が開いているから、ラッチ回路３３ａのＳ端子がＨレベルとなり、Ｑ端子がＨレベルに変化する。これにより、インバータ３５ｃの出力端子がＬレベルとなってＡＮＤゲート４６が閉じるから、時刻Ｔ１より後にオーバーカレント信号Ｂがオンとなった場合であっても、ラッチ回路４３ａのＳ端子はＬレベルに保持される。従って、ラッチ回路４３ａのＱ端子は、Ｈレベルに変化することがない。
その他の動作についても、実施の形態１の図２の場合と同様であるため、実施の形態１の場合と同様の作用・効果が得られる。
【００８５】
（変形例２）
図２に示す外部接続部２５の構成例では、外部接続部２５が２つの制限回路３２，４２及びラッチ回路３３ａ，４３ａ等を備えていたが、これに限定されるものではく、外部接続部２５が３つ以上の制限回路及びラッチ回路等を備えて、３つ以上の外部機器が接続可能となるようにしてもよい。
【００８６】
図７は、本発明の実施の形態１の変形例２に係るテレビジョン受信機１が備える外部接続部２５の構成例を示すブロック図である。外部接続部２５は、図示しないケースに配設されている外部端子３１，４１，５１の夫々に接続された外部機器３０，４０，５０に対して、電源部２６から供給された電流が通流する制限回路３２，４２，５２と、該制限回路３２，４２，５２の夫々が出力するオーバーカレント信号によってセットされるラッチ回路３３ａ，４３ａ,５３ａとを備える。また外部接続部２５は、信号線を介した外部機器３０，４０，５０夫々との接続を制御するコントローラ３９，４９，５９と、ラッチ回路３３ａ，４３ａ，５３ａのＲ端子にリセット信号を与えるＩ／Ｏポート２７とを備えており、これらの各部がバス２９に接続されている。
【００８７】
制限回路３２，４２，５２の設定端子の夫々と接地電位との間には、抵抗器Ｒ３１，Ｒ４１，Ｒ５１が接続されており、制限回路３２，４２，５２がデフォルトで制限する電流が０．５Ａに設定されている。また、制限回路３２，４２，５２のオーバーカレント信号端子の夫々とラッチ回路３３ａ，４３ａ，５３ａのＳ端子との間には、抵抗器Ｒ３２，Ｒ４２，Ｒ５２が介装されている。従って、オーバーカレント信号端子から出力されるオーバーカレント信号がＨレベルの場合であっても、ラッチ回路３３ａ，４３ａ，５３ａ夫々のＳ端子を強制的に接地電位に接続することにより、ラッチ回路３３ａ，４３ａ，５３ａにおけるオーバーカレント信号のラッチが禁止されることとなる。
【００８８】
ラッチ回路３３ａ，４３ａ，５３ａのＱ端子には、オープンコレクタのインバータ３４ａ，４４ａ，５４ａ及び３５ａ，４５ａ，５５ａの入力端子に加えて、オープンコレクタのインバータ３５ｂ，４５ｂ，５５ｂの入力端子が接続されている。インバータ３４ａ，４４ａ，５４ａの出力端子は、抵抗器Ｒ３４ａ，Ｒ４４ａ，Ｒ５４ａを介して制限回路３２，４２，５２の設定端子に接続されている。これにより、ラッチ回路３３ａ，４３ａ，５３ａがオーバーカレント信号をラッチしてＱ端子がＨレベルとなった場合、インバータ３４ａ，４４ａ，５４ａの出力端子及び抵抗器Ｒ３４ａ，Ｒ４４ａ，Ｒ５４ａの接続点が接地電位に接続されて制限回路３２，４２，５２における電流の制限が緩和される。
【００８９】
またラッチ回路３３ａがオーバーカレント信号をラッチしてＱ端子がＨレベルとなった場合、インバータ３５ａ，３５ｂの出力端子に接続されたラッチ回路５３ａ，４３ａのＳ端子が強制的に接地電位に接続されてラッチ回路５３ａ，４３ａにおけるオーバーカレント信号のラッチが禁止される。同様に、ラッチ回路４３ａのＱ端子がＨレベルとなった場合は、ラッチ回路３３ａ，５３ａのＳ端子が強制的に接地電位に接続されてラッチ回路３３ａ，５３ａにおけるオーバーカレント信号のラッチが禁止される。またラッチ回路５３ａのＱ端子がＨレベルとなった場合は、ラッチ回路４３ａ，３３ａのＳ端子が強制的に接地電位に接続されてラッチ回路４３ａ，３３ａにおけるオーバーカレント信号のラッチが禁止される。
以上のようにして、実施の形態１の場合と同様の作用・効果が得られる。
【００９０】
（実施の形態２）
実施の形態１が、制限回路３２，４２を通流する電流に対する制限を１段階だけ緩和する形態であるのに対し、実施の形態２は、制限回路３２，４２を通流する電流に対する制限を２段階まで緩和する形態である。
図８は、本発明の実施の形態２に係るテレビジョン受信機１が備える外部接続部２５の構成例を示すブロック図であり、図９は、オーバーカレント信号を遅延する遅延回路の構成例を示す回路図である。
【００９１】
図８に示す外部接続部２５は、制限回路３２，４２の夫々が出力するオーバーカレント信号を遅延する遅延回路３７，４７と、該遅延回路３７，４７の夫々が遅延した遅延信号によってセットされる第２のラッチ回路３３ｂ，４３ｂとを備える。遅延回路３７，４７の入力端子の夫々は、抵抗器Ｒ３２，Ｒ４２の一端とラッチ回路３３ａ，４３ａのＳ端子との接続点に接続されており、遅延回路３７，４７の出力端子の夫々は、第２のラッチ回路３３ｂ，４３ｂのＳ端子に接続されている。第２のラッチ回路３３ｂ，４３ｂのＲ端子の夫々は、ラッチ回路３３ａ，４３ａのＲ端子に並列に接続されている。第２のラッチ回路３３ｂ，４３ｂのＱ端子の夫々には、オープンコレクタのインバータ３４ｂ，４４ｂの入力端子が接続されており、該インバータ３４ｂ，４４ｂの出力端子の夫々は、抵抗器Ｒ３４ｂ，Ｒ４４ｂを介して制限回路３２，４２の設定端子に接続されている。
【００９２】
図９に移って、遅延回路３７は、上述した抵抗器Ｒ３２の一端に入力端子が接続されるインバータ３７１と、該インバータの出力端子に一端が接続された抵抗器Ｒ３７と、一端が接地電位に接続されており、他端が抵抗器Ｒ３７の他端に接続されたコンデンサＣ３７と、抵抗器Ｒ３７の他端（つまりコンデンサＣ３７の他端）に入力端子が接続されたシュミットトリガ回路３７２とを備える。シュミットトリガ回路３７２の出力端子は、第２のラッチ回路３３ｂのＳ端子に接続される。遅延回路４７の構成についても同様である。
【００９３】
遅延回路３７は、制限回路３２から抵抗器Ｒ３２を介してインバータ３７１の入力端子に入力されたオーバーカレント信号の極性を反転させて抵抗器Ｒ３７の一端に与える。抵抗器Ｒ３７及びコンデンサＣ３７は積分回路を構成しており、抵抗器Ｒ３７の一端に与えられたオーバーカレント信号が積分されて、前縁及び後縁に時間遅れを伴う積分信号に変換される。この積分信号の前縁及び後縁がシュミットトリガ回路３７２の上下何れかの閾値を超えたときに、上記オーバーカレント信号と同極性の遅延信号がシュミットトリガ回路３７２の出力端子から出力される。遅延回路４７の作用についても同様である。遅延回路３７，４７の構成は、図９に示す回路に限定されない。
【００９４】
上述した図８，９の構成において、ラッチ回路３３ａ，４３ａの夫々が抵抗器Ｒ３２，Ｒ４２を介して与えられたオーバーカレント信号をラッチした場合、制限回路３２，４２を通流する電流に対する制限が１Ａに緩和されるのに加えて、ラッチ回路４３ａ，３３ａにおけるオーバーカレント信号のラッチが禁止されるのは、実施の形態１における図２の場合と同様である。
【００９５】
更に本実施の形態２では、抵抗器Ｒ３２，Ｒ４２の夫々を介して与えられるオーバーカレント信号を遅延回路３７，４７で遅延して第２のラッチ回路３３ｂ，４３ｂのＳ端子に与える。第２のラッチ回路３３ｂ，４３ｂの夫々が、遅延回路３７，４７で遅延された遅延信号をラッチした場合、インバータ３４ｂ，４４ｂの出力端子及び抵抗器Ｒ３４ｂ，Ｒ４４ｂの接続点が接地電位に接続されて制限回路３２，４２を通流する電流に対する制限が、１Ａよりも大きい電流値（例えば１．５Ａ）に緩和される。この場合にもラッチ回路４３ａ，３３ａ夫々のＳ端子、即ち遅延回路３７，４７の入力端子が強制的に接地電位に接続されるため、第２のラッチ回路４３ｂ，３３ｂにおける上記遅延信号のラッチが禁止される。
【００９６】
次に、外部接続部２５が電流を制限する動作の具体例について説明する。
図１０は、外部接続部２５における主要部の動作タイミングを示すタイミングチャートである。以下では、ラッチ回路３３ａ，４３ａの夫々を、ラッチ回路Ａ１，Ｂ１ともいい、第２のラッチ回路３３ｂ，４３ｂの夫々を、ラッチ回路Ａ２，Ｂ２ともいう。図１０に示す８つのタイミング図では、何れも同一の時間軸を横軸としてあり、図の上からオーバーカレント信号Ａ、ラッチ回路Ａ１のＳ端子、ラッチ回路Ａ２のＳ端子、ラッチ回路Ａ１のＱ端子、ラッチ回路Ａ２のＱ端子、ラッチ回路Ａ１，Ａ２のＲ端子、オーバーカレント信号Ｂ、並びにラッチ回路Ｂ１，Ｂ２のＳ端子及びＱ端子について、オン／オフ状態又はＨ／Ｌレベルを縦軸に示してある。外部機器３０，４０は、時刻Ｔ６より前に既に接続されている。
【００９７】
時刻Ｔ６からＴ９までの間、オーバーカレント信号Ａがオンとなった場合、ラッチ回路Ｂ１のＱ端子がＬレベルであり、インバータ４５ａの出力端子はハイインピーダンスであるから、ラッチ回路Ａ１のＳ端子がＨレベルとなる。従って、時刻Ｔ６にラッチ回路Ａ１のＱ端子がＨレベルとなる。これにより、インバータ３４ａの出力端子がＬレベルとなり、制限回路３２の設定端子に一端が接続されたＲ３４ａの他端が接地電位に接続されるため、制限回路３２を通流する電流に対する制限が１Ａに緩和されるのは実施の形態１と同様である。
【００９８】
一方、ラッチ回路Ａ１のＱ端子がＨレベルとなった時刻Ｔ６にインバータ３５ａの出力端子がＬレベルとなることにより、ラッチ回路Ｂ１のＳ端子、即ち遅延回路４７の入力端子が強制的に接地電位に接続されるため、例えば時刻Ｔ６，Ｔ９の間の時刻Ｔ７から、時刻Ｔ９より後の時刻Ｔ１１までの間、オーバーカレント信号Ｂがオンとなった場合であっても、ラッチ回路Ｂ１のＳ端子及び遅延回路４７の入力端子はＬレベルに保持される。従って、ラッチ回路Ｂ１，Ｂ２のＱ端子は、Ｈレベルに変化することがない。
【００９９】
次に、オーバーカレント信号Ａを遅延回路３７で遅延させた遅延信号が時刻Ｔ８からＴ１０までの間オンとなった場合、ラッチ回路Ａ２のＳ端子が時刻Ｔ８でＨレベルとなるから、同時刻にラッチ回路Ａ２のＱ端子がＨレベルとなる。これにより、インバータ３４ｂの出力端子がＬレベルとなり、制限回路３２の設定端子に一端が接続された抵抗器Ｒ３４ｂの他端が接地電位に接続されるため、制限回路３２を通流する電流に対する制限が例えば１．５Ａに緩和される。
【０１００】
その後、時刻Ｔ１１で外部端子３１から外部機器３０が取り外されて切断された場合、ＣＰＵ１９の制御により、ラッチ回路Ａ１，Ａ２のＲ端子にＨレベルのリセット信号（パルス信号）が与えられる。これにより、ラッチ回路Ａ１，Ａ２のＱ端子がＬレベルとなり、インバータ３４ａ，３４ｂの出力端子がハイインピーダンスとなるため、抵抗器Ｒ３４ａ，Ｒ３４ｂの他端が接地電位に接続されなくなって、制限回路３２を通流する電流に対する制限が一切緩和されなくなる（即ち、電流の上限がデフォルトの０．５Ａとなる）。
【０１０１】
一方、ラッチ回路Ａ１，Ａ２のＱ端子がＬレベルとなった時刻Ｔ１２にインバータ３５ａの出力端子がハイインピーダンスとなることにより、ラッチ回路Ｂ１のＳ端子には、制限回路４２のカレントリミット信号が抵抗器Ｒ４２を介してそのまま与えられるようになる。このようにして、制限回路３２、ラッチ回路３３ａ及び第２のラッチ回路３３ｂの状態が、時刻Ｔ６以前の状態に復帰するため、時刻Ｔ１２より後にオーバーカレント信号Ｂがオンとなった場合は、制限回路４２を通流する電流に対する制限が緩和されるようになる。
【０１０２】
その他、実施の形態１に対応する箇所には同様の符号を付して、その詳細な説明を省略する。
【０１０３】
以上のように本実施の形態２によれば、２つの制限回路のうち、制限回路３２が電流を制限したときに出力するオーバーカレント信号を遅延回路３７で遅延した信号を第２のラッチ回路３３ｂがラッチするまで、制限回路３２がオーバーカレント信号を出力し続けた場合、第２のラッチ回路３３ｂがラッチ状態となって制限回路３２を通流する電流に対する制限を例えば１Ａ（第２の電流）から１．５Ａ（第３の電流）に緩和する一方で、制限回路４２を通流する電流に対する制限を０．５Ａ（所定電流）から緩和しないようにする。
従って、ラッチ回路がラッチしたことによって所定電流より大きい第２の電流が通流可能となった時から遅延回路の遅延時間が経過するまで電流を制限し続ける一の制限回路について、第２の電流より更に大きい第３の電流が通流可能となるのに対し、他の制限回路は所定電流より大きい電流が通流しない状態に保持することが可能となる。
【０１０４】
また、制限回路３２に対応するラッチ回路３３ａがラッチしてラッチ状態となった場合、制限回路４２に対応するラッチ回路４３ａにおけるオーバーカレント信号のラッチと、第２のラッチ回路４３ｂにおける遅延信号のラッチとを禁止する。
従って、一の制限回路に対応するラッチ回路がラッチ状態にあるうちは、他の制限回路に対応するラッチ回路及び第２のラッチ回路がラッチ状態となることがないため、他の制限回路を通流する電流に対する制限を、確実に緩和しないようにすることが可能となる。
【０１０５】
そして実施の形態１及び２によれば、制限回路３２に対応するラッチ回路３３ａ（又は第２のラッチ回路３３ｂ）がラッチしてラッチ状態となった場合、制限回路３２について、通流する電流に対する制限を緩和するための抵抗器Ｒ３４ａ（又はＲ３４ｂ）を接続端子及び接地電位の間に接続する。
従って、ラッチ回路（又は第２のラッチ回路）のラッチ状態に応じて、ラッチ回路（又は第２のラッチ回路）に対応する制限回路が制限する電流を１段階（又は２段階）緩和することが可能となる。
【０１０６】
更に実施の形態１及び２によれば、電源部２６から外部機器３０，４０の夫々に供給される電流が、電流制限装置の外部接続部２５が有する制限回路３２，４２を各通流する。
従って、複数の制限回路のうち、任意の一の制限回路を通流する電流が所定の上限より大きくなることを許容すると共に、他の制限回路を所定の上限まで電流が通流するのを担保することが可能な電流制限装置を、電気機器に好適に適用することが可能となる。
【０１０７】
なお本実施の形態２では、制限回路３２，４２を通流する電流に対する制限を２段階まで緩和する形態について説明したが、制限を緩和する段階数は１又は２に限定されるものではない。例えば制限回路３２について、遅延回路３７よりも遅延時間が長い他の遅延回路、第３のラッチ回路、他のインバータ、他の抵抗器等を備え、制限回路３２を通流する電流に対する制限が３段階まで緩和されるようにしてもよいし、同様の構成を追加して４段階以上に緩和されるようにしてもよい。
【０１０８】
（実施の形態３）
実施の形態１，２が、外部接続部２５のコントローラ３９，４９を除く部分について、必ずしもＣＰＵ１９の制御を要しない形態であるのに対し、実施の形態３は、ＣＰＵ１９を用いて外部機器３０，４０と通信した結果に基づいて、外部接続部２５の動作範囲に制約を与える形態である。
図１１は、本発明の実施の形態３に係るテレビジョン受信機１が備える外部接続部２５の構成例を示すブロック図である。
【０１０９】
ラッチ回路３３ａのＱ端子は、抵抗器Ｒ３３ａを介してインバータ３４ａ，３５ａの入力端子と、オープンコレクタのインバータ３８ａの出力端子とに接続されている。また、ラッチ回路４３ａのＱ端子は、抵抗器Ｒ４３ａを介してインバータ４４ａ，４５ａの入力端子と、オープンコレクタのインバータ４８ａの出力端子とに接続されている。インバータ３８ａ，４８ａの入力端子は、バス２９に接続されたＩ／Ｏポート２８の出力端子に接続されている。
【０１１０】
図１１において、Ｉ／Ｏポート２８の出力端子からインバータ３８ａの入力端子にＨレベルの信号を与えた場合、インバータ３４ａ，３５ａの入力端子が強制的にＬレベルとなる。同様にインバータ４８ａの入力端子にＨＬレベルの信号を与えた場合、インバータ４４ａ，４５ａの入力端子が強制的にＬレベルとなる。これらの場合は、制限回路３２，４２の夫々が出力するオーバーカレント信号をラッチ回路３３ａ，４３ａがラッチしたとしても、そのＱ端子から出力される信号（以下、Ｑ出力という）が無効化されることとなる。これにより、制限回路３２，４２夫々の設定端子及び接地電位間への抵抗器Ｒ３４ａ，Ｒ４４ａの接続が禁止されるため、制限回路３２，４２を通流する電流に対する制限が緩和されることがなくなる。
【０１１１】
上記とは逆にＩ／Ｏポート２８の出力端子からインバータ３８ａ，４８ａの入力端子の夫々にＬレベルの信号を与えた場合、インバータ３８ａ，４８ａの出力端子がハイインピーダンスとなり、ラッチ回路３３ａ，４３ａのＱ出力が有効化される。これにより、制限回路３２，４２を通流する電流に対する制限が適宜緩和され得る状態となる。
【０１１２】
なお外部接続部２５が、実施の形態２の図８に示すように遅延回路３７，４７、第２のラッチ回路３３ｂ，４３ｂ、、インバータ３４ｂ，４４ｂ及び抵抗器Ｒ３４ｂ，Ｒ４４ｂ等を備えていてもよい。この場合は、第２のラッチ回路３３ｂ，４３ｂのＱ端子の夫々を、他の抵抗器を介してインバータ３４ｂ，４４ｂの入力端子に接続し、更に該インバータ３４ｂ，４４ｂの入力端子の夫々を、入力端子がＩ／Ｏポート２８の出力端子に接続されている他のインバータの出力端子に接続すればよい。
【０１１３】
以下では、外部機器３０，４０との通信結果に基づいて、外部接続部２５の動作範囲に制約を与える例について説明する。
図１２は、制限回路３２，４２を通流する電流が緩和され得る限界を設定するＣＰＵ１９の処理手順を示すフローチャートである。図１２の処理は、外部端子３１，４１の夫々を介して外部機器３０，４０が接続／切断されたことが検出される都度起動され、ＲＯＭ２４に予め格納された制御プログラムに従ってＣＰＵ１９により実行される。
【０１１４】
図１２の処理が起動された場合、ＣＰＵ１９は、外部機器３０，４０が接続されたか否かを判定し（Ｓ３１）、接続された場合（Ｓ３１：ＹＥＳ）、接続された外部機器３０，４０の夫々とコントローラ３９，４９を介して通信する（Ｓ３２）。そしてＣＰＵ１９は、通信結果より外部機器３０，４０の夫々が要求する最大電流を特定し（Ｓ３３）、特定した最大電流に応じて、制限回路３２，４２に対応するラッチ回路３３ａ，４３ａのＱ出力を無効化して（Ｓ３４）図１２の処理を終了する。
【０１１５】
上述したように外部接続部２５が第２のラッチ回路３３ｂ，４３ｂ等を備えることとした場合、ステップＳ３４では、例えば外部機器３０との通信結果により特定した最大電流に応じて、制限回路３２に対応するラッチ回路３３ａのＱ出力及び／または第２のラッチ回路３３ｂのＱ出力を無効化する。これにより、制限回路３２の設定端子及び接地電位間への、抵抗器Ｒ３４ａ及び／又は抵抗器Ｒ３４ｂの接続が抑止されるため、制限回路３２を通流する電流が緩和され得る限界を予め設定しておくことができる。
【０１１６】
一方、ステップＳ３１で外部機器３０，４０が切断された場合（Ｓ３１：ＮＯ）、ＣＰＵ１９は、切断された外部機器３０，４０の夫々について、制限回路３２，４２に対応するラッチ回路３３ａ，４３ａのＱ出力を有効化して（Ｓ３５）図１２の処理を終了する。外部接続部２５が第２のラッチ回路３３ｂ，４３ｂ等を備えることとした場合は、ステップＳ３５で第２のラッチ回路３３ｂ，４３ｂのＱ出力も有効化される。
【０１１７】
その他、実施の形態１，２に対応する箇所には同様の符号を付して、その詳細な説明を省略する。
【０１１８】
以上のように本実施の形態３によれば、外部機器３０，４０と通信した結果に基づいて、夫々の外部機器に電流を通流させる制限回路３２，４２の接続端子及び所定電位間に１つ又は２つの抵抗器が接続されるのを抑止する。
従って、各外部機器に電流を通流させる制限回路の接続端子及び所定電位間に追加接続され得る抵抗回路の数（０、１、２の何れか）を調整することにより、夫々の制限回路を通流する電流が緩和され得る限界を予め設定することが可能となる。
【０１１９】
なお本実施の形態３にあっては、ラッチ回路３３ａ，４３ａのＱ出力を無効化するために抵抗器Ｒ３３ａ，Ｒ４３ａを用いたが、これに限定されるものではない。例えば、実施の形態１の変形例１と同様に、抵抗器Ｒ３３ａ，Ｒ４３ａの夫々に代えてＡＮＤゲートを用いるようにしてもよい。具体的には、各ＡＮＤゲートの一の入力端子にラッチ回路３３ａ，４３ａのＱ端子を各別に接続し、各ＡＮＤゲートの他の入力端子に、トーテムポール出力に変えたインバータ３８ａ，４８ａの出力端子を各別に接続し、各ＡＮＤゲートの出力端子をインバータ３４ａ，４４ａの入力端子と、インバータ３５ａ，４５ａの入力端子とに接続すればよい。
【０１２０】
（変形例１）
外部接続部２５の動作範囲に制約を与える例として、複数の外部機器のうち、通信結果によって特定した外部機器を除く他の外部機器に電流を通流させる制限回路について、通流する電流に対する制限が緩和されないようにすることもできる。
図１３は、本発明の実施の形態３の変形例１に係るテレビジョン受信機１におけるＣＰＵ１９の処理手順を示すフローチャートである。図１３の処理は、外部端子３１，４１の夫々を介して外部機器３０，４０が接続／切断されたことが検出される都度起動され、ＲＯＭ２４に予め格納された制御プログラムに従ってＣＰＵ１９により実行される。
【０１２１】
以下では、図１１に示す構成に加えて、外部接続部２５が、図８に示す遅延回路３７，４７、第２のラッチ回路３３ｂ，４３ｂ、インバータ３４ｂ，４４ｂ及び抵抗器Ｒ３４ｂ，Ｒ４４ｂを備えているものとする。そして、第２のラッチ回路３３ｂ，４３ｂのＱ端子の夫々を、他の抵抗器を介してインバータ３４ｂ，４４ｂの入力端子に接続し、更に該インバータ３４ｂ，４４ｂの入力端子の夫々を、入力端子がＩ／Ｏポート２８の出力端子に接続されている他のインバータの出力端子に接続してあるものとする（後述する変形例２についても同様）。
【０１２２】
図１３の処理が起動された場合、ＣＰＵ１９は、外部機器３０，４０が接続されたか否かを判定し（Ｓ４１）、接続された場合（Ｓ４１：ＹＥＳ）、接続された外部機器３０，４０の夫々とコントローラ３９，４９を介して通信する（Ｓ４２）。そしてＣＰＵ１９は、通信結果より外部機器３０，４０夫々の消費電流を取得し（Ｓ４３）、取得した消費電流を外部機器３０，４０に対応付けてＲＡＭ２３に記憶する（Ｓ４４）。ここでの消費電流は、例えば外部機器３０，４０が有する二次電池を充電残量に応じて充電するときに、外部機器３０，４０に流入する電流である。
【０１２３】
次いで、ＣＰＵ１９は、ＲＡＭ２３に記憶した消費電流の最大値を判定して（Ｓ４５）、最大の電流を消費する外部機器を特定する（Ｓ４６）。その後、ＣＰＵ１９は、特定した外部機器を除く他の外部機器に電流を通流させる制限回路について、対応するラッチ回路及び第２のラッチ回路のＱ出力を無効化した（Ｓ４７）後、図１３の処理を終了する。
なおステップＳ４７では、特定した外部機器に電流を通流させる制限回路について、対応するラッチ回路又は第２のラッチ回路のＱ出力を無効化することにより、上記制限回路を通流する電流が緩和され得る限界を適宜に設定してもよい。
【０１２４】
一方、ステップＳ４１で外部機器３０，４０が切断された場合（Ｓ４１：ＮＯ）、ＣＰＵ１９は、切断された外部機器３０，４０の夫々について、ＲＡＭ２３に記憶した消費電流の記憶内容を削除する（Ｓ４８）と共に、切断された外部機器３０，４０の夫々について、制限回路３２，４２に対応するラッチ回路３３ａ，４３ａのＱ出力と、第２のラッチ回路３４ｂ，４３ｂのＱ出力とを有効化して（Ｓ４９）図１３の処理を終了する。
【０１２５】
以上のように本実施の形態３の変形例１によれば、外部機器３０，４０と通信した結果に基づいて、例えば消費電流が最大となる外部機器を特定し、特定した外部機器を除く他の外部機器に対して電流を通流させる制限回路の接続端子及び所定電位間に抵抗回路を接続しないようにするために、対応するラッチ回路及び第２のラッチ回路のＱ出力を無効化する。
従って、一の外部機器を特定し、特定した外部機器に電流を通流させる制限回路について、通流する電流が緩和される余地を残しておき、他の制限回路を通流する電流が緩和されないようにすることが可能となる。
【０１２６】
（変形例２）
外部接続部２５の動作範囲に制約を与える例として、複数の外部機器のうち、通信結果によって特定した最高優先度の外部機器を除く他の制限回路について、通流する電流に対する制限が緩和されないようにすることもできる。また、制限回路を通流する電流に対する制限が緩和されないようにラッチ回路及び第２のラッチ回路のＱ出力を無効化するには、ラッチ回路及び第２のラッチ回路のＲ端子にＨレベルのリセット信号を与えてもよい。
図１４は、本発明の実施の形態３の変形例２に係るテレビジョン受信機１におけるＣＰＵ１９の処理手順を示すフローチャートである。図１４の処理は、外部端子３１，４１の夫々を介して外部機器３０，４０が接続／切断されたことが検出される都度起動され、ＲＯＭ２４に予め格納された制御プログラムに従ってＣＰＵ１９により実行される。
【０１２７】
図１４の処理が起動された場合、ＣＰＵ１９は、外部機器３０，４０が接続されたか否かを判定し（Ｓ５１）、接続された場合（Ｓ５１：ＹＥＳ）、接続された外部機器３０，４０の夫々とコントローラ３９，４９を介して通信する（Ｓ５２）。そしてＣＰＵ１９は、通信結果より外部機器３０，４０夫々の優先度を特定し（Ｓ５３）、特定した優先度を外部機器３０，４０に対応付けてＲＡＭ２３に記憶する（Ｓ５４）。
【０１２８】
次いで、ＣＰＵ１９は、ＲＡＭ２３に記憶した優先度の最高値を判定して（Ｓ５５）、最高優先度を有する外部機器を特定する（Ｓ５６）。その後、ＣＰＵ１９は、特定した外部機器を除く他の外部機器に電流を通流させる制限回路について、対応するラッチ回路及び第２のラッチ回路のＱ出力を無効化した（Ｓ５７）後、図１４の処理を終了する。
【０１２９】
ここでは、Ｑ出力を無効化するために、そのＱ出力を有するラッチ回路及び第２のラッチ回路のＲ端子に対して、Ｉ／Ｏポート２７からＨレベルのリセット信号を与える。これにより、リセットされたラッチ回路及び第２のラッチ回路に対応する制限回路について、設定端子及び接地電位間への抵抗器の接続が禁止されるため、その制限回路を通流する電流に対する制限が緩和されることがなくなる。
【０１３０】
一方、ステップＳ５１で外部機器３０，４０が切断された場合（Ｓ５１：ＮＯ）、ＣＰＵ１９は、切断された外部機器３０，４０の夫々について、ＲＡＭ２３に記憶した優先度の記憶内容を削除する（Ｓ５８）と共に、切断された外部機器３０，４０の夫々について、制限回路３２，４２に対応するラッチ回路３３ａ，４３ａのＱ出力と、第２のラッチ回路３４ｂ，４３ｂのＱ出力とを有効化して（Ｓ５９）図１４の処理を終了する。ここでは、Ｑ出力を有効化するために、そのＱ出力を有するラッチ回路及び第２のラッチ回路のＲ端子に対して、Ｉ／Ｏポート２７からＬレベルのリセット解除信号を与える。
【０１３１】
以上のように本実施の形態３の変形例２によれば、外部機器３０，４０と通信した結果に基づいて最高優先度であると判定した外部機器に電流を通流させる制限回路を除き、他の制限回路の接続端子及び所定電位間に抵抗器を接続しないようにするために、対応するラッチ回路及び第２のラッチ回路をリセットしてＱ出力を無効化する。
従って、最も優先度が高い外部機器に電流を通流させる制限回路について、通流する電流に対する制限が緩和される余地を残しておき、他の制限回路を通流する電流が緩和されないようにすることが可能となる。
【０１３２】
また、実施の形態１から３によれば、外部機器３０，４０（又は３０，４０，５０）が、外部端子３１，４１（又は３１，４１，５１）によって、ＵＳＢ、ＩＥＥＥ１３９４、ＭＨＬ及びＨＤＭＩのうちの少なくとも１つと互換可能な接続ポートに接続される。
従って、上述した複数種類の汎用の接続ポートの一部又は全部に接続された複数の外部機器のうち、任意の一の外部機器に通流する電流に対する制限を適宜緩和すると共に、他の外部機器に通流する電流に対する制限を緩和しないようにすることが可能となる。
【０１３３】
更に、実施の形態１から３によれば、外部機器３０，４０（又は３０，４０，５０）に対して、電気機器の電流制限装置を介して電源部２６から電流を通流させ、表示部１５に映像を表示する。
従って、外部機器に通流させる電流の上限を適宜緩和する電気機器を、表示装置に好適に適用することが可能となる。
【０１３４】
更にまた、実施の形態１から３によれば、受信部が受信したテレビジョン放送に基づいて、表示装置が映像を表示する。
これにより、外部機器に通流させる電流の上限を適宜緩和する電気機器を備える表示装置を、テレビジョン受信機に適用することが可能となる。表示装置が適用される機器は、テレビジョン受信機に限定されるものではない。
【０１３５】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【０１３６】
１  テレビジョン受信機
１５  表示部
１９  ＣＰＵ
２３  ＲＡＭ
２４  ＲＯＭ
２５  外部接続部
２６  電源部
３０，４０，５０  外部機器
３１，４１，５１  外部端子
３２，４２，５２  制限回路
３３ａ，４３ａ，５３ａ  ラッチ回路
３３ｂ，４３ｂ  第２のラッチ回路
３７，４７  遅延回路
Ｒ３４ａ，Ｒ３４ｂ，Ｒ４４ａ，Ｒ４４ｂ，Ｒ５４ａ  抵抗器
【図１】
2013222218.tif 000003
【図２】
2013222218.tif 000004
【図３】
2013222218.tif 000005
【図４】
2013222218.tif 000006
【図５】
2013222218.tif 000007
【図６】
2013222218.tif 000008
【図７】
2013222218.tif 000009
【図８】
2013222218.tif 000010
【図９】
2013222218.tif 000011
【図１０】
2013222218.tif 000012
【図１１】
2013222218.tif 000013
【図１２】
2013222218.tif 000014
【図１３】
2013222218.tif 000015
【図１４】
2013222218.tif 000016